Podtech/llm-jp-corpus-v4-ja_patent huggingface dataset:
(57)【要約】      （修正有）【課題】主に自宅のカギ、車のキー等の金属品を収納する内側収納部の開閉操作はファスナーにて行なわずして、ファスナー操作は表面側被覆部のみとして、狭い場所でのファスナーの引き操作を２度に亘って行う煩わしさを解決することができる財布を提供する。【解決手段】布、合成樹脂、皮革等の軟質性材料にて形成されると共に、底部１ａを中心として開蓋される左右表面側被覆部２と、この左右表面側被覆部２の両側縁２ａ及び上縁２ｂに亘って備えられると共に、互いに結束されるファスナー３と、更に、左右表面側被覆部２にて形成された内側収納部４に位置すると共に、左右表面被覆部２の開蓋に拘束されることなく下縁５ａを互いに軸着されて開蓋される金属製枠５に張展された左右内面側被覆部７と、金属製枠５の上縁５ａに設けられ、且つ左右からの押圧及び引離しによって互いに離合する係合鈎８とで成した。【選択図】図２
0003185512.tif 000002
【実用新案登録請求の範囲】
【請求項１】
布、合成樹脂、皮革等の軟質性材料にて形成されると共に、底部を中心として開蓋される左右表面側被覆部と、この左右表面側被覆部の両側縁及び上縁に亘って備えられると共に、互いに結束されるファスナーと、更に、前記左右表面側被覆部にて形成された内側収納部に位置すると共に、該左右表面被覆部の開蓋に拘束されることなく下縁を互いに軸着されて開蓋される金属製枠に張展された左右内面側被覆部と、この左右内面側被覆部の上縁に設けられ、且つ左右からの押圧及び引離しによって互いに離合する係合鈎とで成したことを特徴とする財布。
【請求項２】
前記左右表面側被覆部は、内側面に複数のカード収納用ポケットを備えたことを特徴とする請求項１記載の財布。
【請求項３】
金属製枠に張展された左右内面側被覆部は、内側に複数の紙幣、硬貨、カギ等の収納用ポケットを備えたことを特徴とする請求項１〜２の何れか１記載の財布。
【考案の詳細な説明】
【技術分野】
【０００１】  本考案は紙幣、カード、更には硬貨、カギ等を区分けして収納する財布に関する。
【背景技術】
【０００２】  今日、身の回り品の多様化に伴い、財布には本来の紙幣、硬貨とは別に複数枚のカード、更には自宅のカギ、車のキー等を収納して持ち運んでいる。
勿論、これら収納品は個々の用途、形状によって区分けされて財布に収納されるが、下記文献１に示す如く、主に紙幣及びカードを収納する左右表面側被覆部及び、硬貨及び自宅のカギ、車のキー等の金属品を収納する内側収納部は、共にファスナーにて互いに結束されている。
従って、内側収納部を開蓋する場合は、先ず表面側被覆部のファスナーのクリップを引き開き、次いで指先をその開蓋した状態の表面側被覆部に差し入れて内側収納部のファスナーのクリップを引き操作して開くこととなり、狭い場所でのファスナーのスライド操作を２度に亘って行う煩わしさがある。
【先行技術文献】
【特許文献】
【０００３】
【特許文献１】  実用新案登録第３１０８８７９号
【考案の概要】
【考案が解決しようとする課題】
【０００４】  主に自宅のカギ、車のキー等の金属品を収納する内側収納部の開閉操作はファスナーにて行なわずして、ファスナー操作は表面側被覆部のみとして、狭い場所でのファスナーのスライド操作を２度に亘って行う煩わしさを解決する。
【課題を解決するための手段】
【０００５】  本考案は、布、合成樹脂、皮革等の軟質性材料にて形成されると共に、底部を中心として開蓋される左右表面側被覆部と、この左右表面側被覆部の両側縁及び上縁に亘って備えられると共に、互いに結束されるファスナーと、
更に、前記左右表面側被覆部にて形成された内側収納部に位置すると共に、該左右表面被覆部の開蓋に拘束されることなく下縁を互いに軸着されて開蓋される金属製枠に張展された左右内面側被覆部と、この左右内面側被覆部の上縁に設けられ、且つ左右からの押圧及び引離しによって互いに離合する係合鈎とで成したことを特徴とするものである。【０００６】  更に本考案は、左右表面側被覆部に内側面に複数のカード収納用ポケットを備えたことを特徴とするものである。【０００７】  又本考案は、金属製枠に張展された左右内面側被覆部の内側に複数の紙幣、硬貨、カギ等の収納用ポケットを備えたことを特徴とするものである。
【考案の効果】
【０００８】  請求項１により、主に紙幣及びカードを収納するファスナーのスライド操作にて開閉蓋し、硬貨及びカギ、車のキー等の金属品を収納する内側収納部は左右からの押圧及び引離しによって互いに離合する係合鈎操作にて開閉蓋するので、内側収納部の開閉操作はファスナーにて行なわずして、ファスナー操作は表面側被覆部のみとしているので、狭い場所でのファスナーの引き操作を２度に亘って行う煩わしさがない。
更に必要に応じ、内側収納部の開蓋操作は、狭い場所での係合鈎操作をせずして開蓋されている左右表面側被覆部の表面を押圧すれば、内側の係合鈎が押圧されて互いに係合できる利便性もある。
【図面の簡単な説明】
【０００９】
【図１】財布の斜視図
【図２】開蓋した状態を示す斜視図
【図３】拡大断面図
【考案を実施するための形態】
【００１０】  以下本考案を実施形態の図面に基づいて説明すると、図１は財布の斜視図を示す斜視図であって、財布本体１は布、合成樹脂、皮革等の軟質性材料にて形成されると共に、底部１ａを中心として矢印方向Ｘに開蓋される左右表面側被覆部２にて構成されている。
而して、この左右表面側被覆部２の両側縁２ａ及び上縁２ｂに亘って互いに結束されるファスナー３を備えている。
【００１１】  更に、前記左右表面側被覆部２にて形成された内側収納部４には該左右表面被覆部２の開蓋に拘束されることなく下縁５ａを互いに軸６にて反転自在に軸着されると共に、開蓋される金属製枠５が位置し、この金属製枠５には左右内面側被覆部７が張展されており、軸６を中心として矢印方向Ｙに開蓋される。
【００１２】  この金属製枠５の上縁５ａには左右からの押圧及び引離しによって互いに離合する係合鈎８が設けられており、特に左右内面側被覆部７を閉蓋する時は、左右表面被覆部２の外側を矢印Ｚ方向に押圧することによって、内側の係合鈎８も追随して係合し、左右内面側被覆部７を閉蓋することができる。
【００１３】  左右表面側被覆部２の内側面には紙幣Ｍ及びカードＣを収納するポケット９を複数段備えており、左右内面側被覆部７には複数の区切収納部１０を設けており、硬貨及びカギ、車のキー等の金属品を収納する。
【符号の説明】
【００１４】  Ｍ    紙幣
Ｃ    カード
１    財布本体
２    左右表面側被覆部
３    ファスナー
４    内側収納部
５    金属製枠
７    左右内面側被覆部
８    係合鈎
９    ポケット
１０  区切収納部
【図１】
0003185512.tif 000003
【図２】
0003185512.tif 000004
【図３】
0003185512.tif 000005
(57)【要約】      （修正有）【課題】リウマチ性疾患等の罹患による手指の硬縮、末梢筋力の低下を来す方が自分で更衣着脱をできるようにする自助型介護用パンツを提供する。【解決手段】自助型介護用パンツ８は、パンツ本体１のウエストゴム部２周囲に紐状体３が一定間隔で縫合され、上下方向が開放されたループ状指掛け開口部４を備える。これにより、更衣着脱時におけるずり上げずり下げを容易にし、リウマチ性疾患等の罹患による手指の硬縮、末梢筋力の低下を来す方が自分で更衣着脱ができるようになる。【選択図】図１
0003185842.tif 000002
【実用新案登録請求の範囲】
【請求項１】
パンツ本体のウエスト部周囲に紐状体が一定間隔で縫合され、上下方向が開放されたループ状指掛け開口部を備える自助型介護用パンツ。
【考案の詳細な説明】
【技術分野】
【０００１】
本考案はリウマチ性疾患等により手指に硬縮がある方や筋力低下を来す症状を有する方の更衣を容易にする自助型介護用パンツに関する。
【背景技術】
【０００２】
介護用のパンツとして介護者の更衣・着脱援助を容易にするパンツ類は従来から 様々なタイプが創案、販売されている。またおむつにおいてはウエスト部の周囲に 周方向の複数個所を本体部材に固定した長尺部材を設け、下方に開いた逆ポケットを形成することにより指でずり上げることを可能にした考案は為されている。
【先行技術文献】
【特許文献】
【０００３】
【特許文献１】特開平10-337300号公報
【考案の概要】
【考案が解決しようとする課題】
【０００４】
特許文献１に記載のものは、おむつ本体に折り曲げた長尺部材をヒートシール等により接合し、指を入れる逆ポケットを形成するものであるが、ヒートシール等により接合するため、長尺部材の幅もある程度の広さを要し、肌着素材に用いた場合には生地が強張ってしまうことが想定され、又、指を入れる部分が逆ポケット状になっているため、ずり下げに関しての機能はほとんど有しておらず、ずり上げだけでなくずり下げも容易にし、リウマチ性疾患等の罹患による手指の硬縮、末梢筋力の低下を来す方が自分で更衣着脱ができるようになる自助型介護用パンツを提供する。
【課題を解決するための手段】
【０００５】
本考案の自助型介護用パンツは、パンツ本体のウエスト部周囲に紐状体が一定間隔で縫合され上下方向が開放されたループ状指掛け開口部を備える。
【考案の効果】
【０００６】
更衣着脱時におけるずり上げずり下げを容易にし、リウマチ性疾患等の罹患による手指の硬縮、末梢筋力の低下を来す方が自分で更衣着脱ができるようになる。
【０００７】
上下方向が開放されたループ状の指掛け部を備えることにより、リウマチ性疾患等の症状が進行した時に複数の指を掛けることができ、又症状によっては拳を入れてずり上げずり下げが可能である。
【０００８】
リウマチ性疾患の罹患率が圧倒的に女性に多いことを鑑み、基本的には市販のパンツと同様のデザイン性とファッション性を併せ持つことができるため、介護用パンツ特有の機能重視の外見とは一線を画し、女性の尊厳の保持にも効果があると考えられる。
【０００９】
将来的にリウマチ性疾患等の病態や症状が進行し、自身での着脱行為が難しくなった場合には、指掛け開口部を介護者が利用することにより、介護者の負担軽減を可能にすることが出来る。
【図面の簡単な説明】
【００１０】
【図１】本実施形態に係る自助型介護用パンツの正面図である。
【図２】本実施形態に係る自助型介護用パンツの右側面図である。
【図３】本実施形態に係る自助型介護用パンツの後正面図である。
【考案を実施するための形態】
【００１１】
本実施形態に係る自助型介護用パンツ８は、パンツ本体１のウエストゴム部２周囲に紐状体３が一定間隔で縫合され、上下方向が開放されたループ状指掛け開口部４を備える。
【００１２】
パンツ本体１は、ウエスト周囲方向に伸縮自在なウエストゴム部２を備える。なお、パンツ本体１は、市販のパンツ、ショーツ、パンツ型紙おむつでも良い。
【００１３】
紐状体３は、ストラップ、ゴムといった布や紙に縫合できるものであれば良い。
【００１４】
ループ状指掛け開口部４は、パンツ本体１のウエストゴム部２のパンツ本体側面５からパンツ本体後ろ面６に渡って上下方向が開放され、両端部がパンツ本体１に縫合されている。
【００１５】
後方開口部７は、パンツ本体１のウエストゴム部２のパンツ本体後ろ面６において、上下方向が開放され、両端部がパンツ本体１に縫合されている。後方開口部７は、介護者の手が挿入され、被介護者の排泄介助後の着脱補助としての機能を有する。
【符号の説明】
【００１６】
１    パンツ本体
２    ウエストゴム部
３    紐状体
４    ループ状指掛け開口部
５    パンツ本体側面
６    パンツ本体後ろ面
７    後方開口部
８    自助型介護用パンツ
【図１】
0003185842.tif 000003
【図２】
0003185842.tif 000004
【図３】
0003185842.tif 000005
(57)【要約】【課題】保護カバーの最小長さを大きくし、簡単な構造で剛性を持つことが可能な保護カバーを備えた射出成形機を提供すること。【解決手段】射出成形機の射出機構部２は、ノズル・シリンダ部３、固定プラテン６に対して前進および後進するためのボールねじなどからなる直動部材４を備えている。保護カバー５の一端が射出機構部２に固定され、射出機構部２と固定プラテン６との間に保護カバー５が配設されている。射出機構部２が固定プラテン６側に移動し、ノズル・シリンダ部３のノズル部がノズル挿入孔８に挿入され、固定側金型７にタッチして停止する。この際、保護カバー５の先端部が、固定プラテン６に設けられた凹部９に侵入する。このように、ノズル・シリンダ部３を備えた射出機構部２を前後させるための直動部材の保護カバー５を凹部９に逃がすことで保護カバー５の最小長さを大きくでき、簡単な構造で剛性を持つことができる。【選択図】図２
0003185819.tif 000002
【実用新案登録請求の範囲】
【請求項１】
型締機構部と射出機構部が対向して配置され、前記射出機構部を前記型締機構部に対して前後進させる直動部材を備えた射出成形機において、
前記射出機構部に固定され、前記直動部材の上部に沿って延設された保護カバーと、
前記保護カバーの先端が進入可能な固定プラテンに凹部を設けたことを特徴とする保護カバーを備えた射出成形機。
【請求項２】
前記保護カバーは伸縮可能なカバーであることを特徴する請求項１に記載された保護カバーを備えた射出成形機。
【考案の詳細な説明】
【技術分野】
【０００１】
本考案は、保護カバーを備えた射出成形機に関する。
【背景技術】
【０００２】
射出成形機において、プラスチックや金属粉末、セラミック粉末等を溶融させるノズル・シリンダ部及び結合された射出機構部は、メンテナンスや成形上の理由のため、金型を取付けた固定プラテンとの間に可動性を持たす必要がある。特許文献１にはノズルタッチ機構、特許文献２にはノズル・シリンダ部のカバーの技術が開示されている。
【先行技術文献】
【特許文献】
【０００３】
【特許文献１】特開平８−１１８４２５号公報
【特許文献２】実公平４−２２９８２号公報
【考案の概要】
【考案が解決しようとする課題】
【０００４】
射出機構部の駆動手段としてボールねじやエアシリンダ等の直動部材を用いる場合、上方からのプラスチック片及び工具等の落下に備えて、直動部材を保護するために固定プラテンと射出機構部の間に保護カバーをつけることが好ましい。保護カバーは、必要な最大長さに応じて最小長さや断面長も大きくなるが、最小長さを小さくしようとすると、構造が複雑になったり、保護に必要な剛性を保つことが難しくなる。
【０００５】
そこで、本考案の目的は、保護カバーの最小長さを大きく、簡単な構造で剛性を持つことが可能な保護カバーを備えた射出成形機を提供することである。
【課題を解決するための手段】
【０００６】
本願の請求項１に係る考案は、型締機構部と射出機構部が対向して配置され、前記射出機構部を前記型締機構部に対して前後進させる直動部材を備えた射出成形機において、前記射出機構部に固定され、前記直動部材の上部に沿って延設された保護カバーと、前記保護カバーの先端が進入可能な固定プラテンに凹部を設けたことを特徴とする保護カバーを備えた射出成形機である。  
請求項２に係る考案は、前記保護カバーは伸縮可能なカバーであることを特徴する請求項１に記載された保護カバーを備えた射出成形機である。
【考案の効果】
【０００７】
本考案により、保護カバーの最小長さを大きくし、簡単な構造で剛性を持つことが可能な保護カバーを備えた射出成形機を提供できる。
【図面の簡単な説明】
【０００８】
【図１】本考案の実施形態１を説明する図である。
【図２】図１のＡ−Ａ矢印方向に見た断面図である。
【図３】本発明の実施形態２を説明する図である。
【考案を実施するための形態】
【０００９】
以下、本考案の実施形態を説明する。図１は本考案の実施形態１を説明する図である。図２は図１のＡ−Ａ矢印方向に見た断面図である。射出成形機は、機台１上に型締部と射出部とを備えている。型締部は固定プラテン６を備えており、固定側金型７が取り付けられる。射出部は、ノズル・シリンダ部３が取り付けられた射出機構部２、固定プラテン６に対して前進および後進するためのボールねじなどからなる直動部材４を備えている。固定プラテン６には、ノズル・シリンダ部３のノズルを金型にタッチさせるためのノズル挿入孔８が設けられている。
【００１０】
本考案では、射出機構部２と固定プラテン６との間に保護カバー５が配設され、保護カバー５の一端が射出機構部２に固定されている。射出機構部２が、固定プラテン６側に移動し、ノズル・シリンダ部３のノズル部がノズル挿入孔８に挿入され、固定側金型７にタッチして停止する。この際、保護カバー５の先端部が、固定プラテン６に設けられた凹部９に侵入する。このように、固定プラテン６に穴形状の凹部９を設けることで、保護カバー５の最小長さを大きくでき、簡単な構造で剛性を持つことができ、ノズル・シリンダ部３を備えた射出機構部２を前後させるための直動部材の保護カバー５を、凹部９に逃がすことができる。なお、保護カバー５の先端と固定プラテン６の間の部分は、固定プラテン６あるいは機台１に固定された図示しない部材によって、直動部材４を覆ってもよい。
【００１１】
図３は本発明の実施形態２を説明する図である。保護カバー５は伸縮可能なカバーであっても良い。伸縮可能なカバーとした場合は、直動部材全てを保護カバーで覆いやすく、かつ、凹部が小さく済む効果がある。この実施形態では、保護カバー５を、部材５ａと部材５ｂとで構成している。部材５ａの一端部が射出機構部２に固定されている。部材５ａと部材５ｂとは入子式になっており、図３では、部材５ａが部材５ｂに挿入される。部材５ａの端部と該端部に対応する部材５ｂの端部は抜け止めのための係止部を備えている。
【００１２】
射出機構部２が固定プラテン６方向に前進する。射出機構部２の側面が、部材５ｂの端部に到達すると、射出機構部２の前進とともに部材５ｂが紙面左方向へ移動し、部材５ｂの端部が凹部９に侵入する。射出機構部２が固定プラテン６から離れる方向に後退し、部材５ａの端部が部材５ｂの端部まで到達すると、係止部によって部材５ａに連れられて部材５ｂが凹部９から引き戻される。なお、部材５ｂの固定プラテン６側の端部と固定プラテン６には、部材５ｂが抜け落ちないように、係止部（図示せず）が設けられている。
【符号の説明】
【００１３】
１  機台
２  射出機構部
３  ノズル・シリンダ部
４  直動部材
５  保護カバー
５ａ  部材
５ｂ  部材
６  固定プラテン
７  固定側金型
８  ノズル挿入孔
９  凹部
【図１】
0003185819.tif 000003
【図２】
0003185819.tif 000004
【図３】
0003185819.tif 000005
(57)【要約】      （修正有）【課題】簡単な構造で強度を保持しながら取付及び取外し作業を改善したアイボルトを提供する。【解決手段】ボルト軸部２と輪形ヘッド部３とソケット係合用六角凸部４とを一体的に形成したアイボルトであって、アイボルトのボルト軸部２の軸線上に位置する輪形ヘッド部３のボルト軸部との結合部とは対向する部分の外方にソケット係合用六角凸部４が形成されていること、アイボルトに貫通穴が設けられていないこと、及びソケットレンチでソケット係合用六角凸部を回転することによりボルト軸部が回転してアイボルトの取付及び取外しを行なうことができるようになっていることを特徴とする。【選択図】図１
0003185814.tif 000002
【実用新案登録請求の範囲】
【請求項１】
ボルト軸部と輪形ヘッド部とソケット係合用六角凸部とを一体的に形成したアイボルトであって、アイボルトのボルト軸部の軸線上に位置する輪形ヘッド部のボルト軸部との結合部とは対向する部分の外方にソケット係合用六角凸部が形成されていること、アイボルトに貫通穴が設けられていないこと、及びソケットレンチでソケット係合用六角凸部を回転することによりボルト軸部が回転してアイボルトの取付及び取外しを行なうことができるようになっていることを特徴とするアイボルト。
【考案の詳細な説明】
【技術分野】
【０００１】
本考案は、重量のある物品を吊り上げたり、成形品の型を取り出したりする作業に使用されるアイボルトの取付及び取外し性を改善したものに関する。
【背景技術】
【０００２】
従来から、アイボルトは、吊り上げる物品に設けられたボルト孔にそのボルト軸を取り付け、クレーン等の吊り上げ装置のフックをその輪形ヘッド部に引っ掛けて物品を吊り上げるために利用されている。
【０００３】
しかしながら、アイボルトのボルト軸を物品のボルト孔にねじ込む作業は、従来から手作業で行なわれているため、緊締までに時間がかかり、作業性が悪いという問題があった。特にねじ込む作業の物品数が多いときは、この問題が顕著であり、大幅な改善が求められていた。
【０００４】
かかる問題に対して、アイボルトのボルト軸線上に位置する輪形ヘッド部のボルト軸対向部分の外方にナット状突部を一体に形成したもの（特許文献１参照）や、アイボルトの輪形ヘッド部に係合するジグ相当部品を別途設けること（特許文献２参照）が提案されている。これらの特許文献は、アイボルトの取付及び取外し作業に一定の改善が見られるが、特許文献１は、アイボルトの輪形ヘッド部のナット状突部にタップを設けているので、アイボルトの強度が低下するという致命的な欠点があり、また、特許文献２は、ジグ相当部品をアイボルトとは別個に設けているため、取扱いが煩わしいという欠点があった。
【先行技術文献】
【特許文献】
【０００５】
【特許文献１】実公平６−４５６８６号公報
【特許文献１】実開平７−２０２６２号公報
【考案の概要】
【考案が解決しようとする課題】
【０００６】
本考案は、かかる従来技術の問題を解消するために創案されたものであり、その目的は、簡単な構造で強度を保持しながら取付及び取外し作業を改善したアイボルトを提供することにある。
【課題を解決するための手段】
【０００７】
本考案者は、上記目的を達成するために鋭意検討した結果、アイボルトにタップなどの貫通穴を一切設けずに、ボルト軸部の軸線上に位置する輪形ヘッド部のボルト軸部との結合部とは対向する部分の外方にソケット係合用六角凸部を一体的に形成することにより、強度を維持しながら、取付及び取外し作業を簡単に改善できることを見出し、本考案の完成に至った。
【０００８】
即ち、本考案は、ボルト軸部と輪形ヘッド部とソケット係合用六角凸部とを一体的に形成したアイボルトであって、アイボルトのボルト軸部の軸線上に位置する輪形ヘッド部のボルト軸部との結合部とは対向する部分の外方にソケット係合用六角凸部が形成されていること、アイボルトに貫通穴が設けられていないこと、及びソケットレンチでソケット係合用六角凸部を回転することによりボルト軸部が回転してアイボルトの取付及び取外しを行なうことができるようになっていることを特徴とするアイボルトである。
【考案の効果】
【０００９】
本考案のアイボルトは、輪形ヘッド部のボルト軸部との結合部とは対向する部分の外方においてタップなどの貫通穴を設けずに一体的にソケット係合用六角凸部を設けているので、この六角凸部にインパクトレンチ等の自動工具を用いて契合することによりアイボルトの取付及び取外しの作業の迅速化を図ることができる。また、各部が一体的に形成され、かつ貫通穴を設けないようにしているので、アイボルトの剛性が高い。
【図面の簡単な説明】
【００１０】
【図１】図１は、本考案のアイボルトを説明するための概略斜視図である。
【考案を実施するための形態】
【００１１】
以下、本考案のアイボルトについて図面を参照しながら説明するが、本考案はこれに限定されるものではない。
【００１２】
図１は、本考案のアイボルトを概略的に示したものである。図１中、１はアイボルト、２はボルト軸部、３は輪形ヘッド部、４はソケット係合用六角凸部、５はボルト軸部２の軸線である。
【００１３】
図１から明らかなように、本発明のアイボルト１は、ボルト軸部２と、ボルト軸部２の軸線５上に位置され、かつその軸頭に一体的に形成された輪形ヘッド部３と、その輪形ヘッド部３のボルト軸部２との結合部とは対向する部分の外方に一体的に形成されたソケット係合用六角凸部４とから構成されている。本発明のアイボルト１は、各部２，３，４が一体的に形成されるとともに、強度の低下をもたらすタップなどの貫通穴が一切設けられていないことが特徴である。これにより繰り返しの契合作業を機械的に自動化してもアイボルトの各部にクラックや破断が生じることはない。
【００１４】
ボルト軸部２とソケット係合用六角凸部４の中心は、それぞれ同じ軸線５の上にあり、この軸線５を中心にソケット係合用六角凸部４をソケットレンチで回転することにより、雌ネジを刻設されたボルト軸部２が回転し、物品のボルト孔への取付及び取外しの作業ができるようになっている。
【００１５】
実際の作業では、本考案のアイボルトを物品のボルト孔に取付けて吊り上げる場合、まず物品のボルト孔にアイボルト１が自立する程度にボルト軸部２を手でねじ込み、次いで、ソケットレンチ等の工具をソケット係合用六角凸部４に被着して自動的に締め付けを行ない、十分な契合が行なわれたら、クレーン等のフックを輪形ヘッド部３に掛けて吊り上げる。物品からアイボルト１を緩めて取り外す場合は、上記の作業の逆の要領で行なえばよい。
【産業上の利用可能性】
【００１６】
本考案のアイボルトは、多数の物品のボルト孔への取付／取外しの作業を迅速にかつ容易に行なうことができるように構成されているので、アイボルトによる多数の物品の吊り上げ作業や天井への取付け作業が軽減され、極めて有用である。
【符号の説明】
【００１７】
１  アイボルト
２  ボルト軸部
３  輪形ヘッド部
４  ソケット係合用六角凸部
５  ボルト軸部の軸線
【図１】
0003185814.tif 000003
(57)【要約】      （修正有）【課題】余剰はんだによる他部品への端子間の短絡など部品の実装不良を抑制するプリント配線板を提供する。【解決手段】プリント配線板１０は、リード端子接続用パッド１２、放熱用端子接続用パッド１３と、はんだ吸収パッド１４が設けられ、放熱用端子接続用パッド１３は、表面実装部品の部品パッケージ実装領域の下部になるように配置され、はんだ吸収パッド１４は、リード端子接続用パッド１２と放熱用端子接続用パッド１３の間以外の放熱用端子接続用パッド１３の近傍に設けられ、表面実装部品接続用パッド１１及びはんだ吸収パッド１４が設けられた以外のプリント配線板１０の表面領域は、大部分がソルダレジスト１６により覆われる。放熱用端子接続用パッド１３の近傍であって、リード端子接続用パッド１２と放熱用端子接続用パッド１３の間以外の場所に、はんだ吸収パッド１４を設けることで、他部品へのはんだボールによる短絡不良を抑制できる。【選択図】図１
0003185456.tif 000002
【実用新案登録請求の範囲】
【請求項１】
プリント配線板へ部品を実装するためのリード端子接続用パッドと放熱用端子接続用パッドからなる表面実装部品接続用パッドを具備するプリント配線板であって、
前記放熱用端子接続用パッドの近傍であって、前記リード端子接続用パッドと前記放熱用端子接続用パッドの間以外の場所に、はんだ吸収パッドを設けたプリント配線板。
【請求項２】
プリント配線板へ部品を実装するためのリード端子接続用パッドと放熱用端子接続用パッドからなる表面実装部品接続用パッドを具備するプリント配線板であって、
前記放熱用端子接続用パッドの近傍であって、前記リード端子接続用パッドと前記放熱用端子接続用パッドの間以外の場所に、はんだペーストを供給したはんだ吸収パッドを設けたプリント配線板。
【考案の詳細な説明】
【技術分野】
【０００１】
本考案は、電子機器に用いられるプリント配線板に関する。
【背景技術】
【０００２】
近年、電子機器に用いられる表面実装部品は、高機能化、高密度化に対応するため、部品の底面部分に放熱及び接地強化を目的とした電極を設ける場合が多くなっている。リフローはんだ付け工程にて、放熱用端子付き電子部品は、放熱用端子と放熱用端子接続用パッド間に、高さ方向で間隙があるため、溶融はんだの盛上り高さが必要になる。その際、高さ方向において最も広い間隙を想定し、放熱用端子と放熱用端子接続用パッドを接続するために、必要なはんだ量を供給すると、前記間隙が狭くなった場合、はんだ量の余剰を生じ、余剰はんだが、放熱端子のはんだ接合部から押し出され、はんだボールとなって析出して移動し、部品端子間の短絡を誘発するという問題があった。
【０００３】
そこで従来は、放熱用端子付き電子部品のはんだ接合の際、リード端子接続用パッドと放熱用端子接続用パッドの間に、はんだ吸収パッドを設けて、同一部品のリード端子間への余剰なはんだ流れを抑制する技術がある（特許文献１〜３）。
【先行技術文献】
【特許文献】
【０００４】
【特許文献１】特開平９−２２３８６２号公報
【特許文献２】特開２００６−３０３３９２号公報
【特許文献３】特開２０１２−２２７３４９号公報
【考案の概要】
【考案が解決しようとする課題】
【０００５】
しかし、はんだ吸収パッドのない場所に、余剰なはんだが押し出された場合、はんだボールとなって析出して移動し、他部品の端子間の短絡を誘発するため、他部品に対する、余剰はんだによる短絡不良の抑制としては、十分な効果が期待できない。
【０００６】
そこで、本考案の目的は、放熱用端子接続用パッドの近傍であって、リード端子接続用パッドと放熱用端子接続用パッドの間以外の場所に、はんだ吸収パッドを設けて、放熱用端子が必要とするはんだ量を確保した状態で、余剰はんだによる、他部品への端子間の短絡など、部品の実装不良を抑制することである。
【課題を解決するための手段】
【０００７】
本願の請求項１に係る考案は、プリント配線板へ部品を実装するためのリード端子接続用パッドと放熱用端子接続用パッドからなる表面実装部品接続用パッドを具備するプリント配線板であって、前記放熱用端子接続用パッドの近傍であって、前記リード端子接続用パッドと前記放熱用端子接続用パッドの間以外の場所に、はんだ吸収パッドを設けたプリント配線板である。  
請求項２に係る考案は、プリント配線板へ部品を実装するためのリード端子接続用パッドと放熱用端子接続用パッドからなる表面実装部品接続用パッドを具備するプリント配線板であって、前記放熱用端子接続用パッドの近傍であって、前記リード端子接続用パッドと前記放熱用端子接続用パッドの間以外の場所に、はんだペーストを供給したはんだ吸収パッドを設けたプリント配線板である。
【考案の効果】
【０００８】
本考案により、放熱用端子接続用パッドの近傍であって、リード端子接続用パッドと放熱用端子接続用パッドの間以外の場所に、はんだ吸収パッドを設けて、放熱用端子が必要とするはんだ量を確保した状態で、余剰はんだによる、他部品への端子間の短絡など、部品の実装不良を抑制できる。
【図面の簡単な説明】
【０００９】
【図１】本考案の実施形態１を説明する図である。
【図２】本考案の実施形態２を説明する図である。
【考案を実施するための形態】
【００１０】
以下、本考案の実施形態を図面と共に説明する。  
＜実施形態１＞
図１は本考案の実施形態１を説明する図である。図１はプリント配線板１０の表面実装部品を載置する側の面に、表面実装部品接続用パッド１１（リード端子接続用パッド１２と放熱用端子接続用パッド１３）とはんだ吸収パッド１４が設けられている。放熱用端子接続用パッド１３は、表面実装部品の部品パッケージ実装領域の下部になるように配置され、はんだ吸収パッド１４は、リード端子接続用パッド１２と放熱用端子接続用パッド１３の間以外で、放熱用端子接続用パッド１３の近傍に設けられている。プリント配線板１０の表面実装部品接続用パッド１１およびはんだ吸収パッド１４が設けられた以外のプリント配線板１０の表面領域は、大部分がソルダレジスト１６によって覆われている。
【００１１】
上述したように、本考案の実施形態１では、放熱用端子接続用パッド１３の近傍であって、リード端子接続用パッド１２と放熱用端子接続用パッド１３の間以外の場所に、はんだ吸収パッド１４を設けることで、他部品へのはんだボールによる短絡不良を抑制することができる。
【００１２】
＜実施形態２＞
はんだ吸収パッドは、はんだペーストを供給しなくても、効果は期待できるが、図２に示されるように、他の表面実装部品接続用パッド１１と同様に、はんだペーストを供給する事で（はんだペーストが供給された吸収パッド１７）、リフロー工程において、供給されたはんだペーストが溶融して、はんだ吸収パッドへの、はんだ吸収を促進する効果が期待できる。
【符号の説明】
【００１３】
１０  プリント配線板
１１  表面実装部品接続用パッド
１２  リード端子接続用バッド
１３  放熱用端子接続用パッド
１４  はんだ吸収パッド
１５  部品パッケージ実装領域
１６  ソルダレジスト
１７  はんだペーストが供給された吸収パッド
【図１】
0003185456.tif 000003
【図２】
0003185456.tif 000004
(57)【要約】      （修正有）【課題】じゃがいもやごぼう等の凹凸のある野菜に、多数植設固定された小突起を押し当てて擦りながら洗うことのできる野菜ブラシを提供する。【解決手段】柔軟性を有するゴムまたは合成樹脂製シートにより、手の平サイズ程度の大きさで円盤状に形成された基板１に複数個の通水小孔２を間隔を有して穿設する。基板１の一方の面１ａに高さの低い先端を尖鋭部３とした小突起４を多数植設固定する。基板１の他方の面に高さの低い先端を半球部とした小突起を多数植設固定する。【選択図】図１
0003185473.tif 000002
【実用新案登録請求の範囲】
【請求項１】
柔軟性を有する合成樹脂またはゴム製シートにより、手の平サイズ程度の大きさで円盤状に形成された基板に、複数個の通水小孔を間隔を有して穿設し、更に前記基板の一方の面に高さの低い先端を尖鋭部とした小突起を多数植設固定すると共に、前記基板の他方の面に高さの低い先端を半球部とした小突起を多数植設固定したことを特徴とする野菜ブラシ。
【考案の詳細な説明】
【技術分野】
【０００１】
本考案は、じゃがいもやごぼう等の凹凸のある野菜に、ブラシ面を当てて擦りながら洗うことのできる野菜ブラシに関するものである。
【背景技術】
【０００２】
従来、じゃがいもやごぼう等の凹凸のある野菜を洗う場合、たわしや食器洗い用のスポンジを使用していた。そして、たわしやスポンジ以外に凹凸のある野菜を洗うための先行特許文献を遡及検索しても１件も見出すことができなかった。
【考案の概要】
【考案が解決しようとする課題】
【０００３】
前記従来使用しているたわしや食器洗い用のスポンジで凹凸のある野菜を洗う場合、たわしでは強すぎて前記野菜を傷付けてしまうという課題があり、また食器洗い用のスポンジでは野菜に付着した泥や汚れを充分に洗い落すことができないという課題があった。
【０００４】
本考案は、前記課題を解決すべくなされたものであって、円盤状の柔軟性を有する合成樹脂またはゴム製シートより成る基板に複数個の通水孔を間隔を有して穿設し、更に前記基板の一方の面に高さの低い先端を尖鋭部とした小突起を多数植設すると共に、前記基板の他方の面に高さの低い先端を半球部とした小突起を多数植設して形成し、前記いずれかの小突起を凹凸を有する野菜に押し当てて洗うことにより、野菜を傷付けることなく、泥や汚れを除去することができる野菜ブラシを提供しようとするものである。
【課題を解決するための手段】
【０００５】
本考案は、柔軟性を有する合成樹脂またはゴム製シートにより、手の平サイズ程度の大きさで円盤状に形成された基板に、複数個の通水小孔を間隔を有して穿設し、更前記基板の一方の面に高さの低い先端を尖鋭部とした小突起を多数植設固定すると共に、前記基板の他方の面に高さの低い先端を半球部とした小突起を多数植設固定するという手段を採用することにより、上記課題を解決した。
【考案の効果】
【０００６】
前記構成より成る本考案によれば、本考案野菜ブラシを適宜折り曲げて、あるいは折り曲げないで手で持って、凹凸のある野菜に、基板のいずれかの面に多数植設の小突起の尖鋭部または半球部を押し当てて擦って行くと、水道水が通水小孔より流入して、野菜表面部に流れ込み、摩擦抵抗が小さくなり、柔軟性を有する素材で形成された前記多数の小突起によって野菜表面が傷付くことなく、泥や汚れが除去される。
【図面の簡単な説明】
【０００７】
【図１】本考案野菜ブラシを一方の面側から見た全体の斜視図である。
【図２】本考案野菜ブラシを他方の面側から見た全体の斜視図である。
【図３】本考案野菜ブラシの要部の拡大側面図である。
【図４】本考案野菜ブラシの使用状態を示す斜視図である。
【実施例】
【０００８】
本考案野菜ブラシは、柔軟性を有するゴムまたは合成樹脂製シートにより、厚さ２ｍｍ程度で、且つ手の平サイズ程度の大きさで円盤状に形成された基板１に複数個の通水小孔２を間隔を有して穿設し、更に前記基板１の一方の面１ａに高さの低い２ｍｍ程度の高さで、且つ先端を尖鋭部３とした小突起４を多数植設固定すると共に、前記基板１の他方の面１ｂに高さの低い１ｍｍ程度の高さで、且つ先端を半球部５とした小突起６を多数植設固定し、そして前記基板１の外周縁に台所等のフック等の掛止具（図示せず）に掛止する掛止湾曲７を備えた掛止片８を突設して形成されている。
【０００９】
前記構成より成る本考案野菜ブラシの作用について説明する。にんじんやごぼう等の泥や汚れの落ちにくい凹凸を有する野菜Ｖを、水道水で浸しながら本考案野菜ブラシを適宜折り曲げて、あるいは折り曲げないで手で持って、基板１のいずれかの面に多数植設固定されたいずれかの小突起４・６の尖鋭部３または半球部５を押し当てて擦って行くと、水道水が通水小孔２より流入して、野菜Ｖの表面部に流れ込み、摩擦抵抗が小さくなり、柔軟性を有する素材で形成された多数の小突起４・６によって野菜Ｖの表面が傷付くことなく、泥や汚れが除去されるのである。使用後は、本考案野菜ブラシから泥や汚れを落して、掛止片８部を台所のフック等の掛止具に掛止して保管する。
【符号の説明】
【００１０】
Ｖ  野菜
１  基板
１ａ  一方の面
１ｂ  他方の面
２  通水小孔
３  尖鋭部
４  小突起
５  半球部
６  小突起
７  掛止湾曲
８  掛止片
【図１】
0003185473.tif 000003
【図２】
0003185473.tif 000004
【図３】
0003185473.tif 000005
【図４】
0003185473.tif 000006
(57)【要約】【課題】皮をむき、芽を取り除いたガーリックを、まな板の上に載置し、上方からガーリックを押し潰してみじん切り状に仕上げるガーリッククラッシャーを提供する。【解決手段】硬質プラスチックで形成され、潰してみじん切り状になったガーリック１を収容する円状の浅い凹部２を備え、且つ該凹部２の底面にガーリック３を上面から押圧して潰すための多数の小孔４を穿設すると共に、下方向へ湾曲して突出した押圧面５を備え、且つ前記凹部２の上面両側に両手で押さえてガーリック３に押圧するための押圧片７を突設する。【選択図】図２
0003185472.tif 000002
【実用新案登録請求の範囲】
【請求項１】
硬質プラスチックで形成され、潰してみじん切り状になったガーリックを収容する円状の浅い凹部を備え、且つ該凹部の底面に多数の小孔を穿設すると共に、下方向へ湾曲突出した押圧面を備え、且つ前記凹部の上面両側に押圧片を突設したことを特徴とするガーリッククラッシャー。
【考案の詳細な説明】
【技術分野】
【０００１】
本考案は、皮をむき、芽を取り除いたガーリックを、まな板の上に載置し、上方からガーリックを押し潰してみじん切り状に簡単に仕上げることができる、家庭用の簡便なガーリッククラッシャーに関するものである。
【背景技術】
【０００２】
従来、一般家庭でガーリックを潰してみじん切り状に仕上げるには、皮をむき、芽を取り除いたガーリックをまな板上に載置して包丁を用いてみじん切り状にカットしていた。
【０００３】
また、ガーリッククラッシャーに関する過去の特許文献を遡及検索したところ、家庭用の簡便なガーリッククラッシャーは存在せず、回動可能に連結された上下一対のプレス部材を用いてガーリックを押しつぶすガーリックプレスが下記特許文献に開示されている。
【先行技術文献】
【特許文献】
【０００４】
【特許文献１】実公昭６３−４５２１０号公報
【考案の概要】
【考案が解決しようとする課題】
【０００５】
前記従来一般家庭で包丁を使用してガーリックをみじん切りにするには、手間と時間がかかり、また包丁を使用するので危険であるという課題があり、また特許文献１記載のガーリックプレスでは、上下一対のプレス部材を備えた機器を用いるので高価なものとなり、またその作業が面倒で、一般家庭で使用するには不向きであるという課題があった。
【０００６】
本考案は、前記課題を解決すべくなされたものであって、硬質プラスチックで形成され、潰してみじん切り状になったガーリックを収容する円状の浅い凹部を備え、且つ該凹部の底面にガーリックを上面から押圧して潰すための多数の小孔を穿設すると共に、下方向へ湾曲して突出した押圧面を備え、且つ前記凹部の上面両側に両手で押さえてガーリックに押圧するための押圧片を突設することにより、包丁を使用することなく、単に押圧面をガーリック上に位置させて、各押圧片を両手で上下方向へ揺動させながら、下方へ押圧して押し下げて行くと、極めて簡単、且つ安全で、然も迅速にガーリックをみじん切り状とすることができるガーリッククラッシャーを提供しようとするものである。
【課題を解決するための手段】
【０００７】
本考案は、硬質プラスチックで形成され、潰してみじん切り状になったガーリックを収容する円状の浅い凹部を備え、且つ該凹部の底面に多数の小孔を穿設すると共に、下方向へ湾曲突出した押圧面を備え、且つ前記凹部の上面両側に押圧片を突設するという手段を採用することにより、上記課題を解決した。
【考案の効果】
【０００８】
前記構成より成る本考案によれば、押圧面が下方向へ湾曲突出しているため、ガーリッククラッシャー全体を交互に上下方向に揺動させながら下方へ押圧し続けると、ガーリックが押し潰されると共に、前記押し潰されたガーリックが前記押圧面の多数の小孔から凹部内にみじん切り状のガーリックとなって挿通して収容されるので、極めて簡単、且つ安全に、然も迅速にガーリックをみじん切り状とすることができるのである。
【図面の簡単な説明】
【０００９】
【図１】本考案ガーリッククラッシャーの全体の斜視図である。
【図２】本考案ガーリッククラッシャーの使用状態を示す縦断面図である。
【実施例】
【００１０】
本考案の実施例を図面に基づいて詳細に説明する。本考案ガーリッククラッシャーは、図に示すように硬質プラスチックにより形成され、潰してみじん切り状になったガーリック１を収容する円状の凹部２を備え、且つ該円状の凹部１の底面にガーリック３を上面から押圧して潰すと共に、潰した後のみじん切り状のガーリック１を前記凹部２内に挿通して収容するための多数の小孔４を穿設すると共に、下方へ湾曲突出した押圧面５を連設して形成されている。
【００１１】
更に、前記凹部２を形成する周壁６の上周縁部の両側に、両手で押さえてガーリック３に押圧面５を圧接するための押圧片７を突設して形成されている。
【００１２】
前記のように構成された本考案ガーリッククラッシャーの作用について説明する。先ず、洗浄して皮と芽を取り去ったガーリック３をまた板８上に載置し、然る後、前記押圧面５を前記ガーリック３上に位置させて、両手の親指を押圧片７上に置いて、力を入れて下方へ押圧する一方、前記押圧面５の下面が下方向へ湾曲突出して形成されているため、この湾曲を利用してガーリッククラッシャー全体を交互に上下方向に揺動しながら下方へ押圧し続けると、ガーリック３が押し潰されると共に、前記押し潰されたガーリック３が前記押圧面５の多数の小孔４から凹部２内にみじん切り状ガーリック１となって挿通して収容されるのである。その後、凹部２内に収容されたみじん切り状のガーリック１を適宜スプーン等ですくい取って使用する。
【符号の説明】
【００１３】
１  みじん切り状ガーリック
２  凹部
３  ガーリック
４  小孔
５  押圧面
６  周壁
７  押圧片
８  まな板
【図１】
0003185472.tif 000003
【図２】
0003185472.tif 000004
(57)【要約】      （修正有）【課題】カットしたレモンの収納口と絞ったレモン汁の排出口を別々にすることにより、目的の食品にピンポイント的にレモン汁を滴下することができると共に、無用な部分への無駄なレモン汁の滴下を防止するレモン絞り器を提供する。【解決手段】シリコーンゴムにより、円板状の底板１と、底板１上に逆椀状の覆板２とを設けて両者を一体に固定する。覆板２にカットした半球状のレモン３を収納するための１本のスリット４を設ける。底板１の中央に、下端にレモン汁の排出口５を開口した逆円錐形状のレモン汁排出管６を垂設して形成する。【選択図】図２
0003185471.tif 000002
【実用新案登録請求の範囲】
【請求項１】
シリコーンゴムにより、円板状の底板上に逆椀状の覆板を一体に固定する共に、該覆板にカットしたレモンを収納するための１本のスリットを設ける一方、前記底板の中央に、下端にレモン汁の排出口を開口した逆円錐形状のレモン汁排出管を垂設したことを特徴とするレモン絞り器。
【考案の詳細な説明】
【技術分野】
【０００１】
本考案は、シリコーンゴムにより形成するレモン絞り器に関するものである。
【背景技術】
【０００２】
従来、シリコーンゴムで形成されたレモン絞り器は、下記の特許文献１に開示されたレモン絞り器が公知である。
【先行技術文献】
【特許文献】
【０００３】
【特許文献１】意匠登録第１３８８６３２号公報
【考案の概要】
【考案が解決しようとする課題】
【０００４】
前記特許文献１記載のレモン絞り器は、レモンを絞った後のレモン汁の排出口が、カットレモンを入れる収納口と同一個所であるため、ピンポイント的に目的の食品にレモン汁を滴下することができず、無用な部分へ無駄のレモン汁を滴下してしまうという課題があった。
【０００５】
本考案は、前記課題を解決すべくなされたものであって、カットしたレモンの収納口と絞ったレモン汁の排出口を別々にすることにより、目的の食品にピンポイント的にレモン汁を滴下することができ、無用な部分へ無駄のレモン汁を滴下することのないレモン絞り器を提供しようとするものである。
【課題を解決するための手段】
【０００６】
本考案は、シリコーンゴムにより、円板状の底板上に逆椀状の覆板を一体に固定する共に、該覆板にカットしたレモンを収納するための１本のスリットを設ける一方、前記底板の中央に、下端にレモン汁の排出口を開口した逆円錐形状のレモン汁排出管を垂設するという手段を採用することにより、上記課題を解決した。
【考案の効果】
【０００７】
前記構成より成る本考案によれば、カットしたレモンの収納口と絞ったレモン汁の排出口を別々にすることにより、目的の食品にピンポイント的にレモン汁を滴下することができると共に、無用な部分への無駄なレモン汁の滴下を阻止することができる。
【図面の簡単な説明】
【０００８】
【図１】本考案レモン絞り器を斜め上方から見た全体の斜視図である。
【図２】本考案レモン絞り器の縦断面図である。
【図３】本考案レモン絞り器にカットしたレモンを収納して絞っている状態を示す縦断面図である。
【実施例】
【０００９】
本考案の実施例を図面に基づいて詳細に説明すると、図に示すようにシリコーンゴムにより円板状の底板１と、該底板１上に逆椀状の覆板２とを設けて両者を一体に固定すると共に、該覆板２にカットした半球状のレモン３を収納する収納口となる１本のスリット４を設ける一方、前記底板１の中央に、下端に絞ったレモン汁を滴下する排出口５を開口した逆円錐形状のレモン汁排出管６を垂設して形成されている。
【００１０】
前記構成より成る本考案レモン絞り器の作用について説明する。本考案レモン絞り器は、軟らかくて伸縮自在なシリコーンゴムで形成されているので、スリット４を押し拡げて半球状にカットしたレモン３のカット面を底板１上に位置するよう収納し、然る後、目的の食品上にレモン汁の排出口５を位置せしめて、図３に示すように、覆板２を手で強く圧迫することによりレモン汁が絞られて、該レモン汁がレモン汁排出管６を通って排出口５より、食品上にピンポイント的に滴下することができ、無駄な場所へのレモン汁の滴下を防止することができる。
【符号の説明】
【００１１】
１  底板
２  覆板
３  レモン
４  スリット
５  排出口
６  レモン汁排出管
【図１】
0003185471.tif 000003
【図２】
0003185471.tif 000004
【図３】
0003185471.tif 000005
(57)【要約】      （修正有）【課題】めがねにおいて、右のレンズは円形、左のレンズはハート形などのように、左右を非対称の形や左右のレンズの色を非対称とし、ファッション性を高めためがねを提供する。【解決手段】一対のめがねであって、左右のレンズ１，２の形が非対称であること、又左右のレンズの色も非対称であることを特徴とし、非対称の形のめがねの種類は、果物においては異なった種類の果物の断面の形状であり、小鳥や蝶々、その他動物の形などとし、形状は利用者の好みに合わせて任意の形状で組み合わせるものとする。【選択図】図１
0003185499.tif 000002
【実用新案登録請求の範囲】
【請求項１】
一対のめがねにおいてレンズ（１）とレンズ（２）のように左右のレンズの形を非対称形で取り付けることを特徴としためがね。例えば、左のレンズの形が円形なら右のレンズの形はハート形あるいはスペード形や三角形や、あるいは左のレンズが果物の林檎の断面の形に対して右のレンズがブドウの房の断面形。さらには動物のライオンの顔の輪郭形に対しては野鳥の体の輪郭をとって取り付けるなどのように左右のレンズの形状を非対称形どうしで取り付けてなるめがね。
【請求項２】
上記の構造のめがねにおいて、それらのレンズも透明レンズ、各種色つきのレンズを左右対象に設置出来るものとする。
【考案の詳細な説明】
【技術分野】
【０００１】  本考案は、めがねの構造に関し、特に人間が当該めがねをかけたときに左右の形が異なってなる一対のめがねの構造に係る。
【背景技術】
【０００２】  本考案は、めがねの左側は円形で右側が五角形の星の形などのように左右のレンズの形を別々に変化させて取り付けて成る構造である。【０００３】  次に、左右のレンズは、形だけでなく、色も別々の仕組みのめがねでも良い。【０００４】  一対のめがねのレンズの形の組合せの種類は、円形にハート形、楕円形に桜の花形など自在な組合せで装飾すればファッション性も楽しめる。
【考案の概要】
【考案が解決しようとする課題】
【０００５】  本考案により、普段の生活ばかりでのめがねと違った楽しみ方ができる。例えば遊園地でかけたり、演劇人、芸人、子供など多くの生活パターンに合わせての感触が楽しめるめがねとなる。
【課題を解決するための手段】
【０００６】  本願考案は、めがねの左右のレンズをそれぞれに任意の別々の形に変えた一対のめがねの構造であるから片方のレンズの形を円形や楕円形、もう一方のレンズの形を星形やハート形とするなどの他に、消費者のニーズに応じた各形の組み合わせによって、例えば各種の動物形及び果実、木の葉、貝殻の形など自在に変化させて提供すれば宣伝や催事用など広く、めがねが楽しめる。
【考案の効果】
【０００７】  本願考案のめがねはその時、その場所、その雰囲気の好みによって使用することができる。
例えば、街中でのお洒落めがねとして、芸能人の新しいファッションめがね、学芸会などでの演技用めがね、目立ちたい時のめがねなど次世代めがねとしても流行する。
【考案を実施するための形態】
【０００８】  その最良な実施形態について、図面に示す実施例にもとずいて具体的な説明をする。
図１は本考案の左右のレンズの形を変えて取り付けためがねの構造であり、めがねのかけ方においては通常のめがねと同様である。
【図面の簡単な説明】
【０００９】
【図１】は本願考案の左右のレンズの形をそれぞれ丸形とハート形を取り付けためがねである。
【符号の説明】
【００１０】１・・・・円形のレンズ
２・・・・ハート型のレンズ
３・・・・ブリッジ
４・・・・蝶番
５・・・・テンプル
６・・・・ノーズパッド
【図１】
0003185499.tif 000003
【手続補正書】
【提出日】平成25年5月31日(2013.5.31)
【手続補正１】
【補正対象書類名】実用新案登録請求の範囲
【補正対象項目名】全文
【補正方法】変更
【補正の内容】
【実用新案登録請求の範囲】
【請求項１】
一対のめがねであって、左右のレンズの形が非対称であることを特徴としためがね。
【請求項２】
請求項１に記載のめがねにおいて、左右のレンズの色も非対称であることを特徴としためがね。